(57)【要約】電気化学二重層キャパシタの容器が、ハウジング、ハウジングに連結されるよう適合されたキャップ部分、ハウジングまたはキャップ部分のうちの一方を貫通しているオリフィス、および、容器と流体連通しかつオリフィス内で固定されている、通気アセンブリ、を含んでいる。ハウジングおよびキャップ部分が容器の内部外被を画成し、さらに通気アセンブリの少なくとも一部が、容器の内部外被の内側に設けられる。
2014528645.tif 000002
【特許請求の範囲】
【請求項１】
容器、電極、および、液体電解質、を含む、電気化学二重層キャパシタであって、
前記容器が、凹部を有するハウジング、該ハウジングに連結しているキャップ部分、および、該ハウジングまたは該キャップ部分のうちの一方に組み込まれた通気アセンブリ、を含み、
前記電極および前記液体電解質が、前記容器の前記凹部の内側に位置し、
前記ハウジングおよび前記キャップ部分が、前記容器の内部外被を画成し、さらに、
前記通気アセンブリが、前記容器の前記内部外被の内側に位置していることを特徴とする電気化学二重層キャパシタ。
【請求項２】
前記電極が、中心線の周りに互いに巻回されたものであり、さらに、
前記通気アセンブリが、前記電極の前記中心線に沿って位置していることを特徴とする、請求項１記載の電気化学二重層キャパシタ。
【請求項３】
前記電極のうちの少なくとも１つが、前記通気アセンブリに接触していることを特徴とする請求項２記載の電気化学二重層キャパシタ。
【請求項４】
前記通気アセンブリが、前記ハウジングまたは前記キャップ部分のうちの一方に組み込まれていることを特徴とする請求項１記載の電気化学二重層キャパシタ。
【請求項５】
前記通気アセンブリに取り付けられかつ前記容器の前記内部外被内に位置している、熱電対をさらに備えていることを特徴とする請求項１記載の電気化学二重層キャパシタ。
【発明の詳細な説明】
【関連出願の説明】
【０００１】
本出願は、その内容が引用されその全体が参照することにより本書に組み込まれる、２０１１年１１月２３日に出願された米国特許出願第１３／３０３５１７号の優先権の利益を米国特許法第１２０条の下で主張し、その内容が引用されその全体が参照することにより本書に組み込まれる、２０１１年９月３０日に出願された米国仮特許出願第６１／５４１，５２１号の優先権の利益を米国特許法第１１９条の下で主張するものである。
【技術分野】
【０００２】
本開示は、一般に、電気化学二重層キャパシタ用の通気アセンブリに関する。
【背景技術】
【０００３】
電気二重層キャパシタ、またはウルトラキャパシタは、他のタイプの電気化学キャパシタよりも高いエネルギー密度を典型的には呈する、電気化学エネルギー貯蔵装置である。
【発明の概要】
【発明が解決しようとする課題】
【０００４】
しかしながら、電気化学二重層キャパシタをその定格電圧で長時間に亘って充電すると、キャパシタを収容している容器の内側でガスが生成されることがある。このガスの生成は、電気化学二重層キャパシタの蓄電、充電、および放電が行われるときに起こる、望ましくない化学反応および電気化学反応の副産物である。このガスの生成で、容器の内圧は増加傾向になり得る。
【課題を解決するための手段】
【０００５】
電気化学二重層キャパシタの電極および電解液を収容している容器内で増大する内圧を軽減するために、容器内に通気アセンブリを組み込んでもよい。通気アセンブリは、その通気部が容器の外形寸法を増加させないように容器に対して設けることができる。本開示の概念を、主に再封止可能な通気アセンブリを参照して説明するが、本書で開示される通気アセンブリは、再封止可能ではない破裂弁アセンブリとしても提示し得ると考えられている。一実施の形態において通気アセンブリは、容器の略中心線に位置しかつ容器の内部外被内へと延びている、通気管を含み得る。この実施形態において通気アセンブリは、ボールを弁座にぶつけて封止しようとする付勢力をボールに加える、圧縮バネを含み得る。容器の内側の圧力が増加すると、その圧力が圧縮バネを圧縮してボールを弁座から離れるように平行移動させることができ、それにより流体は通気部を通り過ぎて流れることが可能になる。容器の内側の圧力が減少すると、圧縮バネがボールを弁座にぶつけるように平行移動させて、通気アセンブリが封止を形成する。別の実施形態において通気アセンブリは、容器の内側に位置しかつ通気管と流体連通している、バーストディスクを、過圧事象の場合に容器内側の流体がこのバーストディスクを破裂させて通気管から放出されるように、含んでもよい。
【０００６】
本書で意図されている通気アセンブリは、電極および電解液から容器の外部表面への熱の排除を可能にする、熱伝達経路をさらに提供し得る。
【０００７】
本書において説明する実施形態で提供されるこれらの特徴および追加の特徴は、以下の詳細な説明を図面と併せて見ると、より十分に理解されるであろう。
【０００８】
図面に明記される実施形態は、実際の実例および例示であり、請求項により画成される主題を限定することは意図されていない。実例の実施形態に関する以下の詳細な説明は、以下の図面と併せて読むと理解することができ、このとき同様の構造は同じ参照番号で示す。
【図面の簡単な説明】
【０００９】
【図１】本書において図示および説明する１以上の実施形態による通気アセンブリを備えた容器を含む、電気化学二重層キャパシタの切欠き斜視図
【図２】本書において図示および説明する１以上の実施形態による通気アセンブリを備えた容器を含む、電気化学二重層キャパシタの概略側断面図
【図３】本書において図示および説明する１以上の実施形態による通気アセンブリを備えた容器を含む、電気化学二重層キャパシタの概略側断面図
【図４】本書において図示および説明する１以上の実施形態による通気アセンブリを備えた容器を含む、電気化学二重層キャパシタの概略側断面図
【発明を実施するための形態】
【００１０】
本書で説明する実施形態は、電気化学二重層キャパシタ（ＥＤＬＣ）用の通気アセンブリに関する。ＥＤＬＣは、電極および電解液が内側に配置されている容器を備えている。ＥＤＬＣはさらに、電解液と流体連通している通気アセンブリを含んでいる。本書で意図されている通気アセンブリは、ボールと、このボールを弁座にぶつけて封止する圧縮バネとを備えた、再封止可能な弁アセンブリを含み得る。容器内の化学反応に起因して容器の内側の圧力が増加すると、この容器の内圧が、圧縮バネの圧縮に資する開口力をボールに加える。圧縮バネがボールに加えている付勢力を開口力が上回ると、ボールは閉鎖位置から開口位置へと動き、封止されていた容器から流体を放出させることができる。他の実施形態において通気アセンブリは、封止された容器から放出される任意の流体が通気管を通って出て行くように、ＥＤＬＣ容器の内側に設けられかつ通気管と流体連通している、破裂弁アセンブリを含んでもよい。
【００１１】
図１および２を参照すると、ＥＤＬＣ２００は、流体密封リザーバ２１４を有する容器２１０を含む。図示の実施形態において容器２１０は、キャビティ２１３を有するハウジング２１２と、ハウジング２１２に連結されたまたはハウジング２１２と一体になった、キャップ部分２１６とを含む。ハウジング２１２およびキャップ部分２１６が共に流体密封リザーバ２１４を作り出し、この中に二重層キャパシタセル４００を挿入することができる。二重層キャパシタセル４００は、流体密封リザーバ２１４内のどんな空間をも満たす、液体電解質で包囲される。容器２１０の内部外被２１５は、キャビティ２１３とキャップ部分２１６とで少なくとも部分的に囲まれた、容器２１０の領域として画成される。容器２１０の外部外被２１１は、ハウジング２１２およびキャップ部分２１６の、外側に向いている表面で形成される、容器２１０の領域として画成される。ハウジング２１２またはキャップ部分２１６のうちの一方は、容器２１０に開口を作り出すオリフィス２１８を含む。
【００１２】
通気アセンブリ２６０は、容器２１０の内部外被２１５内へとＥＤＬＣ２００のジェリーロール型電極４０２の内側に沿って延びる、通気管２６２を含む。通気アセンブリ２６０は、通気アセンブリ２６０の一部を容器２１０のオリフィス２１８と嵌合させることによって、容器２１０に組み込まれる。再封止可能な通気アセンブリ２６１は、通気管２６２の端部に沿って内部外被２１５内に設けられた、弁座２６４を含む。弁座２６４を通気管２６２と滑動可能に係合させてもよい。ボール２６６はバネ２６８によって弁座２６４にぶつけられた状態で支持され、バネ２６８は端部キャップ２７０によって通気管２６２内で保持される。ボール２６６は流体密封リザーバ２１４と流体連通している。図２に示したように、通気管２６２およびバネ２６８が容器２１０の内部外被２１５内に延在するように通気アセンブリ２６０を設けることで、通気アセンブリ２６０を容器２１０に加えても、ハウジング２１２およびキャップ部分２１６の外側に向いている表面で画成される容器２１０の外部外被２１１の寸法はさほど変化しない。
【００１３】
電気化学二重層キャパシタ２００は、２つの電極４０２を含む二重層キャパシタセル４００を含み、この２つの電極４０２は、電極４０２を物理的に分離しかつ電極４０２が互いに電気的に短絡しないようにする、非導電性セパレータ層４０６によって分離されている。非導電性セパレータ層は、限定するものではないが、紙などの多孔質な誘電性材料から形成してもよい。二重層キャパシタセル４００は「ジェリーロール」型でもよく、このとき電極４０２および非導電性セパレータ層４０６は互いの周りに巻き付けられて概して円筒状の形状になる。電解液は、二重層キャパシタセル４００の層の全体に亘って分散される。２つの電極４０２の夫々に電圧が加えられると、電解液がイオン化し得、各電極４０２の表面上の電場が電荷を蓄積することができる。電気化学二重層キャパシタ２００は、この電荷を必要とされるまで蓄えることができ、その時点で電極４０２から放電させることができる。
【００１４】
本開示による電極４０２は、電気化学二重層キャパシタ２００で使用するのに適した任意の導電材料を含み得る。一実施の形態において、電極４０２の少なくとも１つは、例えば、曲げる、丸める、またはコイル状に巻くことが可能な、柔軟な導電材料を含む。別の実施形態において、電極４０２の少なくとも１つは、例えばアルミニウムなどの金属を含む。別の態様において、電極４０２の１つまたは両方は、電極４０２の表面積を増加させる、例えば炭素コーティングなどの炭素材料を含む。両方の電極４０２が同じ組成を有したものである必要はなく、電極４０２が同じ組成を有している態様と、異なる組成を有している態様との両方が意図されている。別の実施形態において、電極４０２は電気化学二重層キャパシタ２００の設計で使用される他の材料および電解液と適合する材料を含む。
【００１５】
電極４０２は、電気化学二重層キャパシタ２００の環境において実質的に非腐食性の材料を含む。いくつかの実施形態では電極４０２の少なくとも１つは、例えばその電極４０２の大部分の全体または一部など、その少なくとも一表面上にコーティングを有している。これらの実施形態では、例えば高表面積炭素を含む炭素コーティングが、少なくとも１つの電極４０２の一表面の少なくとも一部に存在している。さらなる態様では、電極４０２の表面の活性エリア全てが、高表面積の炭素コーティングを含んでいる。電極４０２および電極４０２コーティング材料は市販されており、当業者は適切な電極４０２および／または電極４０２コーティング材料を選択することができる。
【００１６】
非導電性セパレータ層４０６は、例えば、紙、マイカ、ガラス、セラミック、エーロゲル、シリカ、非導電性炭素、高分子材料、またはこれらの組合せを含み得る。非導電性材料は、所与の電気化学二重層キャパシタ２００のための動作の電圧および動作条件下で実質的に非導電性である。非導電性セパレータ層４０６は、電解液が非導電性セパレータ層４０６を通って浸透および／または拡散できるような多孔質なものでもよい。
【００１７】
電極４０２が概して円筒状の形状に巻回された状態で、二重層キャパシタセル４００はハウジング２１２のキャビティ２１３に取り込まれる。電解液が電極４０２を包囲するように、液体電解質がキャビティ２１３に取り込まれる。キャップ部分２１６をハウジング２１２に連結させかつ固定して、ハウジング２１２内、従って容器２１０内に液体電解質を維持するハウジング２１２で、流体密封リザーバ２１４を形成する。
【００１８】
複数のＥＤＬＣ２００を電気的に共に連結し、所与の用途のために必要な電気の貯蔵を提供してもよい。容器２１０は、二重層キャパシタセル４００が夫々挿入されている、複数の流体密封リザーバ２１４を含んでもよい。
【００１９】
図３に示されているように、再封止可能な通気アセンブリ２６１を含む通気アセンブリ２６０の別の実施形態では、例えば通気管２６２のエッジを内側に向けて丸めることによって、弁座２６４を通気管２６２に組み込むことができる。通気管２６２の内部の、丸められたエッジの位置付近に弁座２６４が形成され、ボール２６６がこの弁座にぶつかることで封止される。
【００２０】
ここで図４を参照すると、バーストディスク２８０を備えた通気アセンブリ２６０を含む、ＥＤＬＣ２００が示されている。バーストディスク２８０は、ハウジング２１２とキャップ部分２１６とによって作り出された流体密封リザーバ２１４とバーストディスク２８０が流体連通するように、通気管２６２の端部付近に位置している。バーストディスク２８０は、例えば隣接する構成要素間で圧入することによって、通気管２６２と機械的に結合したものでもよい。他の実施形態では、隣接する構成要素を共に溶接して、バーストディスク２８０を通気管２６２に恒久的に固定してもよい。
【００２１】
通気アセンブリ２６０は、既定の内圧で開口して、容器２１０内側の高圧条件を緩和するために流体密封リザーバ２１４から流体を放出するように構成されている。この「噴出圧力」は、ハウジング２１２およびキャップ部分２１６の厚さおよび材料など、容器２１０の構造的な要件に基づいて選択することができる。
【００２２】
一実施の形態では、容器２１０内側の圧力が５０ｐｓｉ（３４４．８ｋＰａ）に達した時点で容器２１０内側の流体が、バネ２６８がボール２６６に加えている付勢力よりも大きい開口力を再封止可能な通気アセンブリ２６１のボール２６６に加えるように、あるいはバーストディスク２８０の強度よりも大きな破裂圧力をバーストディスク２８０に加えるように、噴出圧力をおよそ５０ｐｓｉ（３４４．８ｋＰａ）となるように選択する。特定の用途に基づいて、他の噴出圧力を選択してもよい。
【００２３】
図２に示したような通気アセンブリ２６０を有している容器２１０の実施形態では、開口力が増加して付勢力よりも大きくなると、ボール２６６が平行移動して弁座２６４から離れ、流体を通気管２６２に沿って流体密封リザーバ２１４から流出させることができる。同様に、図４に示したような通気アセンブリを有している容器の実施形態では、内部の圧力がバーストディスク２８０の破裂圧力を超えると、張力が過剰に負荷されることによってバーストディスク２８０が裂け、あるいは破裂し、流体を通気管２６２に沿って流体密封リザーバ２１４から流出させることができる。流体が流体密封リザーバ２１４から流出すると容器２１０内側の圧力が減少し、これに対応してボール２６６に加えられる開口力が減少する。開口力が減少して付勢力よりも小さくなると、ボール２６６は弁座２６４に向かって平行移動し、バネ２６８によって再びボール２６６と弁座２６４との間に流体密封封止が形成される。
【００２４】
バネ２６８からボール２６６に加えられる付勢力は、バネ２６８の変形時および非変形時の長さや剛性など、種々の因子で決定される。バネ２６８の剛性が増加すると、ボール２６６を弁座２６４にぶつけて支持する付勢力がこれに対応して増加する。一実施の形態において、バネ２６８のバネ定数は５．４ｌｂｆ／ｉｎ（約０．９５Ｎ／ｍｍ）であり、非変形時の長さは１．３７５インチ（約３４．９２ｍｍ）である。バネ２６８を通気管２６２内に、ボール２６６が弁座２６４にぶつかって支持されている状態で設置すると、バネ２６８の変形時の長さは１．３１インチ（約３３．２７ｍｍ）となり、与えられる付勢力は０．３５ｌｂｆ（約１．５６Ｎ）となる。ボール２６６に作用する圧力エリアが比較的小さいため、容器２１０内側の圧力が比較的低圧、例えば約５０ｐｓｉ（３４４．８ｋＰａ）のときに放出するよう、「軟らかい」精密バネを使用する。通気アセンブリ２６０は通気管２６２を利用して容器２１０の内部へと延びているため、バネ２６８の長さはバネ２６８の直径に比べて長くなり得る。バネ２６８の相対的長さが増加すると、圧力放出用の軟らかいバネ設計で示される柔軟性はより大きくなる。バネ２６８の剛性を制御する変数としては、バネ２６８のワイヤ直径（断面積）、バネ２６８の外径、バネ２６８のコイル巻き数、およびバネ２６８の形成に使用された材料が挙げられる。例えば実行時のバネ２６８の長さが直径に比べて相対的に短くて、バネ２６８の剛性がより大きかったとしたら、噴出圧力でボール２６６の開口を可能にする精密制御は困難であったであろう。
【００２５】
本開示による再封止可能な通気アセンブリ２６１を含む通気アセンブリ２６０では、容器２１０を損傷する危険を制限するように、高圧の流体、例えばアセトニトリル蒸気およびガスが容器２１０から漏れるようにすることができると同時に、容器２１０の外側に存在している空気および水蒸気が容器２１０の内側に取り込まれるようになるのを防止する。容器２１０内側の流体の圧力が噴出圧力未満であるときにはボール２６６が弁座２６４と共に封止を形成するので、流体が周囲圧力に対して高圧にある状態で、ボール２６６が弁座２６４にぶつかって封止されていることがある。従って、通気アセンブリ２６０が開口して流体を放出している間、容器２１０内側の流体の圧力は、ＥＤＬＣ２００を包囲している周囲の空気および水蒸気の圧力よりも高くなる。すなわち、容器２１０から出ていく流体の流れが、空気および水蒸気が通気アセンブリ２６０を通り過ぎて容器２１０内に流れ入るのを防止することに資する。
【００２６】
図２および３を参照すると、図示の通気アセンブリ２６０の実施形態では弁座２６４の位置で形状が急に変化し、これによりボール２６６と弁座２６４との間で「線接触」が提供される。さらに、いくつかの実施形態においてボール２６６は、エラストマー、例えばＥＰＤＭまたはＶｉｔｏｎ（登録商標）フルオロエラストマーから作製される。こういった材料から作製されたボール２６６は柔軟であり、バネ２６８により付勢力を加えることで歪み得る。いくつかの実施形態では、弁座２６４と線接触しているボール２６６の表面は、弁座２６４の辺りで歪むことがある。容器２１０から漏れる流体のいくらかは、ボール２６６の表面に留まって蒸発し、ボール２６６の表面に固形残留物の塩を残すはずであるが、弁座２６４にぶつかっているボール２６６の歪みによって、線接触の辺りの塩は粉砕され易いであろう。ボール２６６のこの変形は、ボール２６６から塩を剥がすのに資するものであり、これによりボール２６６の弁座２６４との封止が促進される。さらに、いくつかの実施形態において弁座２６４は、弁座２６４を包囲している領域内に窪み２７２を含んでいる。ボール２６６の傍を流れて容器２１０から漏れる流体のいくらかは、窪み２７２に溜まることがあり、ボール２６６または弁座２６４のいずれの封止表面にも固形残留物の塩の堆積物を残さずに蒸発させることができる。
【００２７】
再び図４を参照すると、バーストディスク２８０は、液体電解質による化学攻撃に影響されない、例えばアルミニウムおよびその合金、スチール合金、および固化したポリマーを含む、種々の材料から作製することができる。いくつかの実施形態において、バーストディスク２８０は局所的に薄くなった領域を含み、この領域は、容器２１０内側の圧力条件が過剰になった場合に、張力が過剰に負荷される位置になるように設計される。
【００２８】
通気アセンブリ２６０は、ジェリーロール電極４０２の略中心から容器２１０の外部表面に向かう熱伝導用の経路をさらに提供する。ＥＤＬＣ２００から熱を排除できることで、キャパシタ内部の温度を全体的に低くすることができ、すなわち信頼性をより高く、かつ寿命をより長くすることができる。さらに、より多くの熱を排除できることで、互いに電気的に連結された複数のＥＤＬＣ２００の充填密度を増加させることができる。熱をＥＤＬＣ２００から排除し得る効率を増加させることによって、必要になる外部ヒートシンクをより小さく、かつそれほど扱い難くないものとし得る。すなわち、ＥＤＬＣ２００からの熱の排除が増加すると、様々な作業用途でのＥＤＬＣ２００の充填および実装を向上させることができる。
【００２９】
複数の熱電対３１０を通気アセンブリ２６０の構成要素に、例えば通気管２６２の長さに沿って取り付けてもよい。これらの熱電対３１０を用いてＥＤＬＣ２００の内部温度を評価し、ＥＤＬＣ２００の健全性および性能を監視することができる。
【００３０】
本開示によるＥＤＬＣ２００は、種々の方法に従って製造および組立することができる。一実施の形態では、電極４０２をハウジング２１２内に挿入し、キャップ部分２１６で封じてもよい。単独で通気アセンブリ２６０を、通気管２６２、弁座２６４、ボール２６６、バネ２６８、および端部キャップ２７０を含むように組み立ててもよい。ハウジング２１２内に設けられた電極４０２と共に、通気アセンブリ２６０をキャップ部分２１６の開口を通じてジェリーロール電極４０２の略中心線に沿って設置する。通気アセンブリ２６０をその後ハウジング２１２またはキャップ部分２１６に、例えば溶接工程で連結させて、流体密封リザーバ２１４を形成することができる。あるいは、通気アセンブリ２６０をハウジング２１２またはキャップ部分２１６に、機械的結合、例えば通気アセンブリ２６０とハウジング２１２またはキャップ部分２１６の一方を貫通するオリフィス２１８との圧入で、連結してもよい。
【００３１】
別の実施形態では、ハウジング２１２にキャップ部分２１６を連結する前に、通気アセンブリ２６０をキャップ部分２１６に設置してもよい。この実施形態では、電極４０２がハウジング２１２内に挿入され、さらにキャップ部分２１６および通気アセンブリ２６０がハウジング２１２に連結されて、これらが一緒に容器２１０内に流体密封リザーバ２１４を生成する。
【００３２】
さらに別の実施形態では、電極４０２材料の広げられたシートを通気アセンブリ２６０の周りに巻くことによって電極４０２を形成する。電極４０２が通気アセンブリ２６０の周りに巻回された状態で、電極４０２および通気アセンブリ２６０をハウジング２１２内に挿入する。電極４０２を、通気管２６２と共通の軸を共有した、螺旋のような形状に巻回してもよい。続いてキャップ部分２１６を、ハウジング２１２に、さらに通気アセンブリ２６０に連結させて、容器２１０の流体密封リザーバ２１４を形成する。
【００３３】
通気アセンブリ２６０の構成要素は、例えば限定するものではないが、アルミニウムおよびその合金、または銅およびその合金など、様々な材料から作製することができる。通気アセンブリ２６０の構成要素、例えば通気管２６２および弁座２６４は、限定するものではないが、締結、接着、溶接、ろう付け、および／または摩擦結合をなど、様々な方法で互いに取り付けることができる。
【００３４】
いくつかの実施形態では、通気アセンブリ２６０と電極４０２との間に電気絶縁部材を設けてもよい。電気絶縁部材は、例えば、紙、マイカ、ガラス、セラミック、エーロゲル、シリカ、非導電性炭素、高分子材料、またはこれらの組合せを含み得る。電気絶縁部材は、表面処理、例えば陽極酸化プロセスによって通気アセンブリ２６０に加えられた電気的絶縁酸化層をさらに含み得る。
【００３５】
ここで、本開示によるＥＤＬＣは、容器の内部外被の範囲内に設けられた通気アセンブリを含むことを理解されたい。通気アセンブリは、通気管、通気管内に設けられたボールおよびバネ、さらに弁座を含む。バネはボールに付勢力を加え、この力でボールを弁座にぶつけて封止する。通気アセンブリによって、周囲の空気および／または水蒸気を容器に入れることなく、ＥＤＬＣの容器内側の過剰な圧力を解放することができる。
【００３６】
「実質的に」および「約」という用語は、任意の定量比較、値、測定値、または他の表現に起因し得る、固有の不確実さの度合いを表すために本書において用いられ得ることに留意されたい。これらの用語は、論じている主題の基本的機能に変化をもたらすことなく、定量的表現が記載した基準から変動し得る度合いを表すためにさらに本書において用いられる。
【００３７】
特定の実施形態を本書において図示および説明してきたが、請求される主題の精神および範囲から逸脱することなく、種々の他の変更および改変を作製し得ることを理解されたい。さらに、請求される主題の種々の態様を本書で説明してきたが、これらの態様は組み合わせて利用しなくてもよい。従って、添付の請求項が、請求される主題の範囲内にある全てのこういった変更および改変を含むと意図されている。
【符号の説明】
【００３８】
２００    ＥＤＬＣ
２１０    容器
２１２    ハウジング
２１３    キャビティ
２１４    流体密封リザーバ
２１５    内部外被
２１６    キャップ部分
２１８    オリフィス
２６０    通気アセンブリ
２６１    再封止可能な通気アセンブリ
２６２    通気管
２６４    弁座
２６６    ボール
２６８    バネ
２７０    端部キャップ
３１０    熱電対
４０２    電極
【図１】
2014528645.tif 000003
【図２】
2014528645.tif 000004
【図３】
2014528645.tif 000005
【図４】
2014528645.tif 000006
【国際調査報告】
2014528645.tif 000007
2014528645.tif 000008
2014528645.tif 000009